(57)【要約】【課題】生産コストを抑えることができる使い捨てズボンカバーを提供すること。【解決手段】一枚の矩形状の防水性を有するシート１から形成されており、シート１の上端縁から延出するようにして配置された胴周り部１０と、胴周り部１０の下端縁から延出するようにして配置された一対の脚周り部２０と、シート１の左右方向両端縁から延出するようにして胴周り部１０と一対の脚周り部２０との間に存在し、胴周り部１０と一対の脚周り部２０の一部とを相互に分離可能な第１分離線５０と、一対の脚周り部２０の間に存在し、これらの脚周り部２０を相互に分離可能な第２分離線６０と、第２分離線６０からシート１の左右方向両端縁に向かって延出しており、胴周り部１０と一対の脚周り部２０の一部とを相互に分離可能な第３分離線７０と、を備えている、ことを特徴とする使い捨てズボンカバー。【選択図】図１
2010144265.tif 000002
【特許請求の範囲】
【請求項１】
防水性を有するシートから形成され、装着時に胴周り及び脚周りを被覆する使い捨てズボンカバーであって、
一枚の矩形状のシートから形成されており、
シートの上端縁から延出するようにして配置された胴周り部と、
胴周り部の下端縁から延出するようにして配置された一対の脚周り部と、
シートの左右方向両端縁から延出するようにして胴周り部と一対の脚周り部との間に存在し、胴周り部と一対の脚周り部とを相互に一部分離可能な第１分離線と、
一対の脚周り部の間に存在し、これらの脚周り部を相互に分離可能な第２分離線と、
第２分離線からシートの左右方向両端縁に向かって延出しており、胴周り部と一対の脚周り部とを相互に一部分離可能な第３分離線と、を備えている、ことを特徴とする使い捨てズボンカバー。
【請求項２】
胴周り部の左右方向一端側には、胴周り部に対して係着可能であるウエスト調整部が設けられている、請求項１に記載の使い捨てズボンカバー。
【請求項３】
シートの内側における胴周り部の上端縁近傍には、胴周り部の上端縁に沿って延在し、装着者の衣服又は肌に対して係着可能な脱落防止部が設けられている、請求項１又は請求項２に記載の使い捨てズボンカバー。
【請求項４】
シートが、防水性及び透湿性を有する、不織布、レーヨン紙、孔開きフィルム、又は編物から構成されている、請求項１乃至請求項３のいずれか１項に記載の使い捨てズボンカバー。
【発明の詳細な説明】
【技術分野】
【０００１】
本発明は、使い捨てズボンカバーに関するものであり、より詳細には、荒天時に使用してズボンの濡れや汚れを防ぐことを目的とするものである。
【背景技術】
【０００２】
雨天時に外出する際、傘をさして移動するというのが一般的である。しかし、風や雨が強く荒天となった場合、傘だけでは雨を防ぎきることができずに、特に下半身が濡れてしまうということは、周知の問題である。このような問題に対して、防水性のシートをズボン型に加工したズボンカバーを使用することで対処する、といったことがしばしば行われる。ズボン型のズボンカバーは、体にフィットさせて着用することが可能であるため、着用感に優れているという利点を有している。
【０００３】
しかし、ズボン型に加工されたズボンカバーは、着用時に、両方の脚を胴周り部から挿入して脚周り部に脚を通さなければならず、靴が濡れたり汚れたりしていると、内部が汚れてしまうという問題があった。そのような問題を解決すべく、下記特許文献２に示されるようなタイプのズボンカバーが提案されていた。
【０００４】
この一方、下記特許文献３に示されるように、近年では、ニーズの高まりから、生産コストを抑えて使い捨て可能とされた雨具が提案されている。
【特許文献１】実用新案登録第３１０５０５０号
【特許文献２】実用新案登録番号第３０２２１２２号
【特許文献３】実開平０７−０４４１３８号公報
【発明の開示】
【発明が解決しようとする課題】
【０００５】
しかしながら、従来の脚を通さなくとも装着可能なズボンカバーは、その構造が複雑であるため、生産コストが嵩み、安価な使い捨ての商品とすることは困難であった。
そこで、本発明の主たる課題は、生産コストを抑えることができる使い捨てズボンカバーを提供することにある。
【課題を解決するための手段】
【０００６】
以下に、上記課題を解決するための手段とそれらの作用効果を示す。
〔請求項１に係る発明〕
請求項１に係る発明は、
防水性を有するシートから形成され、装着時に胴周り及び脚周りを被覆する使い捨てズボンカバーであって、
一枚の矩形状のシートから形成されており、
シートの上端縁から延出するようにして配置された胴周り部と、
胴周り部の下端縁から延出するようにして配置された一対の脚周り部と、
シートの左右方向両端縁から延出するようにして胴周り部と一対の脚周り部との間に存在し、胴周り部と一対の脚周り部とを相互に一部分離可能な第１分離線と、
一対の脚周り部の間に存在し、これらの脚周り部を相互に分離可能な第２分離線と、
第２分離線からシートの左右方向両端縁に向かって延出しており、胴周り部と一対の脚周り部とを相互に一部分離可能な第３分離線と、を備えている、ことを特徴とする使い捨てズボンカバーである。
【０００７】
〔作用効果〕
本請求項に係る使い捨てズボンカバーでは、胴周り部を装着者の胴周りに巻き付けることによって装着者の胴周りが被覆されるようになっている。この一方、第２分離線で一対の脚周り部を相互に分離し、且つ第１分離線及び第３分離線で胴周り部と一対の脚周り部の一部とを相互に分離し、一対の脚周り部を装着者の両方の脚周りに巻き付けることによって装着者の脚周りが被覆されるようになっている。
【０００８】
つまり、本請求項に係る使い捨てズボンカバーは、胴周り部及び一対の脚周り部を、装着者の胴周り及び脚周りに巻き付けることで装着されるようになっているため、両方の脚を胴周り部から挿入して脚周り部に脚を通さなくとも着脱可能となっている。
【０００９】
また、本請求項に係る発明である使い捨てズボンカバーは、シートの左右方向両端縁から延出するようにして胴周り部と一対の脚周り部との間に存在し、胴周り部と一対の脚周り部とを相互に一部分離可能な第１分離線と、第２分離線からシートの左右方向両端縁に向かって延出しており、胴周り部と一対の脚周り部とを相互に一部分離可能な第３分離線とを備えているため、一対の脚周り部を脚周りに巻き付けた際に、胴周り部が脚周り部の動きに対して引っ張られることがないため、身体へのフィット性を損なうことなく一枚の矩形状のシートから形成することが可能となっている。その結果、構造が単純となるため、生産コストを従来品よりも低く抑えることが可能となる。
【００１０】
〔請求項２に係る発明〕
請求項２に係る発明は、胴周り部の左右方向一端側には、胴周り部に対して係着可能であるウエスト調整部が設けられている、請求項１に記載の使い捨てズボンカバーである。
【００１１】
〔作用効果〕
請求項２に係る発明は、胴周り部の左右方向一端側には、胴周り部に対して係着可能であるウエスト調整部が設けられているため、このウエスト調整部を胴周り部の任意の位置に係着することによって、胴周りの周長を自由に設定することができるようになる。その結果、ベルトなどのウエストを締め付ける部材がなくとも、装着者のウエストに対して容易にフィットさせることができるようになる。
【００１２】
〔請求項３に係る発明〕
請求項３に係る発明は、シートの内側における胴周り部の上端縁近傍には、胴周り部の上端縁に沿って延在し、装着者の衣服又は肌に対して係着可能な脱落防止部が設けられている、請求項１又は請求項２に記載の使い捨てズボンカバーである。
【００１３】
〔作用効果〕
請求項３に係る発明は、シートの内側における胴周り部の上端縁近傍には、胴周り部の上端縁に沿って延在し、装着者の衣服又は肌に対して係着可能な脱落防止部が設けられているため、装着時に使い捨てズボンカバーがズレ落ちてしまうことを防止することができる。
【００１４】
〔請求項４に係る発明〕
請求項４に係る発明は、シートが、防水性及び透湿性を有する、不織布、レーヨン紙、孔開きフィルム、又は編物から構成されている、請求項１乃至請求項３のいずれか１項に記載の使い捨てズボンカバーである。
【００１５】
〔作用効果〕
請求項４に係る発明は、シートが、防水性及び透湿性を有する、不織布、レーヨン紙、孔開きフィルム、又は編物から構成されているため、生産コストを抑えることができ、また廃棄も容易となるため、使い捨ての物品として優れた使い捨てズボンカバーを提供することができる。また、これらの材料は、防水性及び透湿性を有しているため、着用感に優れている。
【発明の効果】
【００１６】
以上に示したように、本発明によれば、生産コストを抑えることができる使い捨てズボンカバーを提供することができる。
【発明を実施するための最良の形態】
【００１７】
次に、本発明に係る使い捨てズボンカバーの実施形態を、添付図面を参照しつつ説明する。なお、図１中の矢印Ｒは右方向を、矢印Ｌは左方向を、矢印Ｕは上方向を、矢印Ｄは下方向を、それぞれ示すものであるが、これらの方向は、説明上便宜的に用いているに過ぎない。
【００１８】
〔第１実施形態〕
本発明に係る使い捨てズボンカバーの第１実施形態を、添付図面を参照しつつ説明する。
図１は、本実施形態に係る使い捨てズボンカバーを内面側から見た展開図である。この使い捨てズボンカバーは、一枚の矩形状のシート１から形成されており、装着者の胴周りを被覆する胴周り部１０と、装着者の脚周りを被覆する一対の脚周り部２０と、から主に構成されている。
【００１９】
本実施形態に係る使い捨てズボンカバーを構成するシート１は、ポリエチレン系樹脂フィルム、塩化ビニル系樹脂、防水性及び透湿性を有する、ポリエステル系繊維、ポリウレタン系繊維などからなる不織布、レーヨン紙、孔開きフィルム、木綿やポリエステル繊維などを編んで構成されるメリヤスやパイル地などの編物から構成される。その中でも特に、防水性と透湿性とを兼ね備えている点から、不織布、レーヨン紙、孔開きフィルムから構成されていることが好ましい。
【００２０】
これらを使用することにより、コストを抑え、廃棄も容易になるため、使い捨て用の雨具とする場合には有効である。また、不織布や編物を使用する場合は、雨具内部の湿度が上がったり、開口部などから水が若干侵入した場合でも、不織布や編物が水分を吸収し、直接皮膚や衣服に水滴が接触することが無く、肌触りが向上して、特に着用感に優れる。なお、編物を使用する場合は厚みの薄い薄地のものを使用するのが着用感などの点から好ましい。
【００２１】
ポリエステル系繊維、ポリウレタン系繊維などからなる不織布、レーヨン紙、孔開きフィルム、木綿やポリエステル繊維などを編んで構成されるメリヤスやパイル地などの編物から成るシート１に防水加工を施す方法としては、シート１の外側に透湿性を有する無孔性のフィルムを積層することが提案される。無孔性のフィルムは、例えば、水酸基、カルボキシル基、スルホン酸基、アミド基、これらの塩などの親水性基、親水性セグメントの導入などにより透湿性を付与した樹脂から構成される。好ましくは、無孔性のフィルムが、透湿性を付与したポリエーテル骨格を有するエラストマーであるポリウレタン系樹脂及び、或いは又はポリエステル系樹脂からなるのがよい。また、通常のプラスチックと同様に使用できながら、自然界の微生物によって低分子化合物（水と炭酸ガス）に分解可能な生分解性樹脂を使用するのも好ましい。ポリウレタン系樹脂やポリエステル系樹脂、生分解性樹脂の一部のものは、エラストマー状であり、柔軟性や屈曲性に優れ、また、耐磨耗性に優れるため、雨中での作業での運動や作業を阻害せず、さらに、塗料などを塗布することによって図柄などを加えることが容易になる。
【００２２】
ポリエーテル骨格を有するエラストマーであるポリウレタン系樹脂やポリエステル系樹脂の詳細な構成は特に限定されない。市販されているものとしては、ポリウレタン系樹脂として「Ｅ３８５Ｐ３８６Ｈ」（日本ミラクトラン（株）製）、ポリエステル系樹脂として「ペルプレンＰ−４０Ｂ」（東洋紡績（株）製）、「ＡＲＮＩＴＥＬ ＰＭ３８１」（ポリエーテルエステル オランダ ＤＳＭ社製）などが使用できる。
【００２３】
上に示した生分解性樹脂の詳細な構成も特に限定されず、市販されているものとしては、脂肪族系ポリエステルである「セルグリーン Ｐ−ＨＢ」（ダイセル化学工業（株）製）、芳香族系ポリエステルである「Ｅａｓｔｅｒ Ｂｉｏ Ｃｏｐｏｌｙｅｓｔｅｒ ＧＰ」（イーストマンケミカル社製）などが使用できる。
【００２４】
なお、無孔性のフィルムの構成材料には、防水性及び透湿性を損なわない範囲で熱安定剤、酸化防止剤、結晶造核剤、滑剤、帯電防止剤、光安定剤等の添加剤を含有させても良い。また、シート１には、防水性及び透湿性を阻害しない範囲で、無孔性のフィルム以外の他層を有していても良い。
【００２５】
無孔性のフィルムの厚み、及び無孔性のフィルムを構成する各層の厚み比率は特に限定されず、水蒸気透過度、強度、柔軟性など所望の無孔性のフィルムの物性などに応じて適宜設定される。
【００２６】
無孔性のフィルムの製造方法も、使用材料に応じ、従来一般的な形成方法、フィルム形成方法、積層方法を使用できるが、積層方法としてドライラミネート法を使用する場合は、水蒸気等過度が低下することがあるため注意を要する。
【００２７】
図１に示すように、シート１の上端縁から延出するようにして配置された矩形状の胴周り部１０は、後述するように、装着時において装着者の胴周りの前身頃側を被覆するものであり、矩形状に形成されている。胴周り部１０の具体的なサイズは、標準的な体型の大人用であれば、左右方向長さが１１０ｃｍ〜１６０ｃｍ、上下方向長さが３０ｃｍ〜５０ｃｍ程度とされる。
【００２８】
図１に示すように、シート１の内面側における胴周り部１０には、胴周り部１０の上端縁に沿うようにして、装着者の胴周りに対して係着可能である脱落防止部８０が設けられている。この脱落防止部８０は、両面に粘着剤が塗布された両面テープで形成され、後述するように、装着者の肌又は衣服に接着され、塗布された粘着剤により仮留め又は滑り止めの機能を奏する。このため、脱落防止部８０に塗布される粘着剤としては、肌又は衣服を傷めないものを選択することが好ましく、具体的には、皮膚貼付用粘着テープ等に一般的に使用される粘着剤を特に限定されることなく使用することができ、スチレン−イソブチレン−スチレン共重合体を主成分とする合成ゴム系粘着剤、ポリウレタン系粘着剤、ポリシロキサン系粘着剤、天然ゴム系粘着剤、ポリエーテル系粘着剤、アクリル系粘着剤等の１種または２種以上を混合して用いることができる。
【００２９】
また、シート１の内面側における胴周り部１０には、左右方向一端縁側に沿うようにして、胴周り部１０の外面側に係着可能とされた矩形状のウエスト調整部３０が配置されている。このウエスト調整部３０は、シート１１に接着可能な両面テープから構成されており、シート１の素材に応じて適宜変更される。
【００３０】
図１及び図２に示すように、矩形状に形成された一対の脚周り部２０は、胴周り部１０の下端縁から下方向に向かって延出する形で存在しており、これらの脚周り部２０は互いに同形とされている。後述するように、使い捨てズボンカバーの装着時において、一対の脚周り部２０は、装着者の両方の脚をそれぞれ被覆するものである。これらの脚周り部２０の左右方向長さは、胴周り部１０の左右方向長さの半分となっており、この一方、これらの具体的な上下方向長さは、標準的な体型の大人用であれば６０ｃｍ〜８０ｃｍ程度とされる。
【００３１】
図１及び図２に示すように、胴周り部１０と一対の脚周り部２０との間には、シート１の左右方向両端縁から延出する第１分離線５０が形成されている。この第１分離線５０は、左右方向に沿って延在しており、スリットまたはミシン目とされていて、胴周り部１０と一対の脚周り部２０とは、この第１分離線５０によってそれぞれ相互に一部分離可能となっている。また、第１分離線５０は、それぞれシート１の左右方向長さに対して１／１０〜１／４程度の長さとされている。なお、第１分離線５０は、後述の第３分離線７０と同様に、左右方向両端縁から上端縁側に向かって斜めに延出していても良い。
【００３２】
図１及び図２に示すように、一対の脚周り部２０の間には、第２分離線６０が、上下方向に沿うようにして形成されている。この第２分離線６０はスリットまたはミシン目とされており、一対の脚周り部２０は、この第２分離線６０によって相互に分離可能となっている。
【００３３】
図１及び図２に示すように、胴周り部１０と一対の脚周り部２０との間には、第２分離線６０の上端からシート１の左右方向両端縁に向かって延出する一対の第３分離線７０が形成されている。この第３分離線７０は、第２分離線６０の上端からシート１の上端縁側にも向かうようにして延在しており、シート１の上端縁に対して若干斜めになっている。また、この第３分離線７０はスリットまたはミシン目とされており、一胴周り部１０と一対の脚周り部２０とは、この第３分離線７０によってそれぞれ相互に一部分離可能となっている。また、第３分離線７０は、それぞれシート１の左右方向長さに対して１／１０〜１／４程度の長さとされている。
【００３４】
図１に示すように、シート１の内面側における一対の脚周り部２０には、細長い矩形状の脚周り固定部４０が、それぞれ二つずつ設けられている。これらの脚周り固定部４０は、それぞれ第２分離線６０に沿うようにして配置されている。また、一対の脚周り部２０にそれぞれ設けられた二つの脚周り固定部４０は、装着状態において装着者の膝近傍に位置する部分において、それぞれ一定距離離間して配置されている。なお、この膝近傍に位置する部分における離間距離は、５〜１５ｃｍ程度とされている。
【００３５】
次に、本実施形態に係る使い捨てズボンカバーの装着方法を、図３乃至図５を参照しつつ説明する。なお、以下の説明においては、装着者は衣類を着用していることを前提としている。
まず、図３に示すように、脱落防止部８０の左右方向中央部が装着者の背中側における腰の中央近傍に位置するように使い捨てズボンカバーを配置し、胴周り部１０を胴周りに巻き付けると共に脱落防止部８０よって胴周り部１０を胴周りに仮留めする。
次に、図４に示すように、ウエスト調整部３０を胴周り部１０の外側に貼り付けて固定し、胴周り部１０を装着者の胴周りに巻き付ける。
次に、図４及び図５に示すように、脚周り固定部４０を脚周り部２０の外側にそれぞれ貼り付けて固定し、脚周り部２０をそれぞれ装着者の脚周りに巻き付ける。
【００３６】
次に、本実施形態に係る使い捨てズボンカバーの作用効果を説明する。
本実施形態に係る使い捨てズボンカバーでは、胴周り部１０を装着者の胴周りに巻き付けることによって装着者の胴周りが被覆されるようになっている。この一方、第２分離線６０で一対の脚周り部２０を相互に分離し、且つ第１分離線５０及び第３分離線７０で胴周り部１０と一対の脚周り部２０とを相互に一部分離し、一対の脚周り部２０を装着者の両方の脚周りに巻き付けることによって装着者の脚周りが被覆されるようになっている。
【００３７】
つまり、本実施形態に係る使い捨てズボンカバーは、胴周り部１０及び一対の脚周り部２０を、装着者の胴周り及び脚周りに巻き付けることで装着されるようになっているため、両方の脚を胴周り部１０から挿入して脚周り部２０に脚を通さなくとも着脱可能となっている。
【００３８】
また、本実施形態に係る使い捨てズボンカバーは、シート１の左右方向両端縁から延出するようにして胴周り部１０と一対の脚周り部２０との間に存在し、胴周り部１０と一対の脚周り部２０とを相互に一部分離可能な第１分離線５０と、第２分離線６０からシート１の左右方向両端縁に向かって延出しており、胴周り部１０と一対の脚周り部２０とを相互に一部分離可能な第３分離線７０とを備えているため、一対の脚周り部２０を脚周りに巻き付けた際に、胴周り部１０が脚周り部２０の動きに対して引っ張られることがないため、身体へのフィット性を損なうことなく一枚の矩形状のシート１から形成することが可能となっている。その結果、構造が単純となるため、生産コストを従来品よりも低く抑えることが可能となる。
【００３９】
本実施形態に係る使い捨てズボンカバーは、胴周り部１０の左右方向一端側には、胴周り部１０に対して係着可能であるウエスト調整部３０が設けられているため、このウエスト調整部３０を胴周り部１０の任意の位置に係着することによって、胴周りの周長を自由に設定することができるようになる。その結果、ベルトなどのウエストを締め付ける部材がなくとも、装着者のウエストに対して容易にフィットさせることができるようになる。
【００４０】
本実施形態に係る使い捨てズボンカバーでは、シート１の内側における胴周り部１０の上端縁近傍には、胴周り部１０の上端縁に沿って延在し、装着者の衣服又は肌に対して係着可能な脱落防止部８０が設けられているため、装着時にズボンカバーがズレ落ちてしまうことを防止することができる。
【００４１】
〔第２実施形態〕
次に、本発明に係る使い捨てズボンカバーの第２実施形態について、添付図面を参照しつつ説明する。なお、第１実施形態と共通する部材に関しては、同一の符号を付し説明を省略する。
本実施形態に係るズボンカバーは、８つの仮固定部４１がシート１の内側に設けられている点で、第１実施形態に係る使い捨てズボンカバーと異なり、それ以外の点では同一の構成を有する。
【００４２】
８つの仮固定部４１は、脚周り固定部４０と同形であり、脱落防止部８０を構成する両面テープと同じものが、シート１の内側に貼り付けられていることで構成されている。これらの仮固定部４１は、脚周り固定部４０と同じように、上下方向に沿うようにして２つ１組で配置されている。なお、この膝近傍に位置する部分における離間距離は、一対の脚周り固定部４０の離間距離と同様に、５〜１５ｃｍ程度とされている。また、４組の仮固定部４１は、シート１の左右方向両端縁近傍と、一対の脚周り部２０の左右方向中央とにそれぞれ配置されている。
【００４３】
８つの仮固定部４１がこのようにして配置されていることによって、装着時における脚周り固定部４０を係着する前段階で、装着者の脚周りに対して、一対の脚周り部２０を仮固定できるため、風が強い中であっても、一対の脚周り部２０がばたつくことがなく容易に装着できる。
【００４４】
〔その他の実施形態〕
ウエスト調整部３０及び脚周り固定部４０は、面ファスナーの雄材から構成されていても良い。その場合、ウエスト調整部３０及び脚周り固定部４０が係着される部分に面ファスナーの雌材を配置することによって、係着可能とすることもできるが、シート１を不織布から形成することによって、シート１に対してウエスト調整部３０及び脚周り固定部４０を係着できるため、雌材が不要となり、生産コストを抑えることができる。
【００４５】
〔その他の参考形態〕
図７に示すのは、その他の第１参考形態である。
本参考形態は、一枚の台形状のシート１０１から成る使い捨てスカートカバーである。シート１０１の上端縁側は装着時に装着者のウエストを被覆する部分となっており、シート１０１の内側における上端縁近傍には、左右方向に沿って延在するウエスト固定部１８０が２つ設けられている。これらのウエスト固定部１８０は、第１実施形態に係るズボンカバーのシート１の脱落防止部８０と同じ両面テープから構成されている。この一方、シート１０１の左端縁近傍には、この左端縁沿って延在する裾回り固定部１４０が設けられている。この裾回り固定部１４０は、第１実施形態に係るズボンカバーのシート１の脱脚周り固定部４０と同じ両面テープから構成されている。なお、本参考形態に係る使い捨てスカートカバーのシート１０１を構成する素材としては、上に示した第１実施形態に係る使い捨てズボンカバーを構成するシート１と同じものが適用される。
【００４６】
以上のように構成された使い捨てスカートカバーは、ウエスト固定部１８０で装着者の腰周りに固定され、裾回り固定部１４０をシート１０１の外側における右端縁近傍に係着することによって、スカート状に形成されるようになっている。本参考形態に係る使い捨てスカートカバーは、一枚のシート１０１を台形状に形成することで作成可能となっており、構造が単純であるため、生産コストを低く抑えることが可能となる。また、装着者の腰周りに巻き付けることで装着されるようになっているため、製品に脚を通さなくても着脱可能となる。そのため、装着時にシート１０１が汚れてしまうことがない。
【００４７】
図８及び図９に示すのは、その他の第２参考形態である。
本参考形態は、一枚のシート２０１から成る使い捨て脚カバーである。この使い捨て脚カバーは、矩形状の脚周り部２２０と、その上端縁から延出する吊用ベルト２８０とを主として構成されている。
【００４８】
脚周り部２２０のサイズは、第１実施形態に係るズボンカバーの脚周り部２０とほぼ同じとされている。脚周り部２２０の内側における右側端縁近傍には、第１実施形態に係るズボンカバーの脚周り固定部４０と同じ機能を奏する一対の脚周り固定部２４０が、相互に離間して設けられている。
【００４９】
この一方、脚周り部２２０の上端縁における中央から若干左寄りの部分からは、帯状の吊用ベルト２８０が延出しており、この吊用ベルト２８０の先端には、係着部材２３０が設けられている。この係着部材２３０は、吊用ベルト２８０に対して係着可能とされており、両面テープや面ファスナーから構成されている。なお、係着部材２３０を面ファスナーの雄材から形成する場合、吊用ベルト２８０を不織布から構成することによって、面ファスナーの雌材を設置する必要がないため、低コストで生産することができる。なお、本参考形態に係る使い捨て脚カバーは、装着者の片側の脚を被覆するものであり、逆の脚に被覆するものは、図８に示した使い捨て脚カバーとは、左右対象に形成される。
【００５０】
図９に示すように、以上のように構成された使い捨て脚カバーは、次のようにして装着される。まず、脚周り部２２０を装着者の脚周りに巻き付けると共に、脚周り固定部２４０をシート２０１の外側に係着させて脚周り部２２０を装着者の脚周りに固定する。次に、吊用ベルト２８０を装着者が装着しているベルトに通して、係着部材２３０を吊用ベルト２８０に対して係着させる。
【００５１】
以上のように構成された使い捨て脚カバーは、両方の脚を胴周り部から挿入して脚周り部に脚を通さなくとも着脱可能となっていると共に、胴周りを被覆する部分を有していないため、持ち運びに際して嵩張ることがない。
【産業上の利用可能性】
【００５２】
本発明に係るズボンカバーは、装着者の下半身を着用済の衣類と共に被覆するズボンカバーとして適用され得る。
【図面の簡単な説明】
【００５３】
【図１】本発明に係る使い捨てズボンカバーの第１実施形態の展開状態における内側を示す図である。
【図２】本発明に係る使い捨てズボンカバーの第１実施形態の展開状態における外側を示す図である。
【図３】（Ａ）は本発明に係る使い捨てズボンカバーの第１実施形態の装着方法を示す図であり、（Ｂ）は（Ａ）を装着者の頭側から見た状態を示す図である。
【図４】（Ａ）は本発明に係る使い捨てズボンカバーの第１実施形態の装着方法を示す図であり、（Ｂ）は（Ａ）を装着者の頭側から見た状態を示す図である。
【図５】（Ａ）は本発明に係る使い捨てズボンカバーの第１実施形態の装着方法を示す図であり、（Ｂ）は（Ａ）を装着者の頭側から見た状態を示す図である。
【図６】本発明に係る使い捨てズボンカバーの第２実施形態の展開状態における内側を示す図である。
【図７】他の参考形態である使い捨てスカートカバーの展開状態における内側を示す図である。
【図８】他の参考形態である使い捨て脚カバーの展開状態における内側を示す図である。
【図９】他の参考形態である使い捨て脚カバーの装着状態を示す図である。
【符号の説明】
【００５４】
１・・・使い捨てズボンカバー
１０・・・胴周り部
２０・・・脚周り部
３０・・・ウエスト調整部
４０・・・脚周り固定部
５０・・・第１分離線
６０・・・第２分離線
７０・・・第３分離線
８０・・・脱落防止部
【図１】
2010144265.tif 000003
【図２】
2010144265.tif 000004
【図３】
2010144265.tif 000005
【図４】
2010144265.tif 000006
【図５】
2010144265.tif 000007
【図６】
2010144265.tif 000008
【図７】
2010144265.tif 000009
【図８】
2010144265.tif 000010
【図９】
2010144265.tif 000011